(57)【特許請求の範囲】
【請求項１】
パネルの複数のアダプタ取付孔に各嵌着されて縦方向に隣接並置され、光学軸が一致するように光コネクタの嵌合部と、光コネクタその他の光学部品の嵌合部とをそれぞれ備え、前記光コネクタの嵌合部を閉鎖するよう当該嵌合部の開口端側端辺に枢支軸を介して揺動可能に連結され、且つ前記枢支軸にバネ力を付勢させて閉鎖保持可能として成るシャッタ部材を備えた光アダプタにおいて、前記シャッタ部材には、当該シャッタ部材をバネの付勢力に抗して前倒操作させて前記嵌合部を開放させるよう外表面に開放操作用取っ手を備え、上段の嵌合部への光コネクタの嵌合時に、下段の嵌合部へ嵌合されている光コネクタの前記光アダプタ係合解除用の解除レバーおよびラッチレバーに前記シャッタ部材開放時の前記開放操作用取っ手が干渉しないよう当該開放操作用取っ手は前記シャッタ部材の右側一箇所もしくは左側一箇所、または左右両側の各一箇所、あるいは中央の表面に配置されてなることを特徴とする光アダプタ用シャッタ。
【請求項２】
前記開放操作用取っ手は、前記シャッタ部材の前面の左右いずれか、または左右両側、あるいは中央の表面から略斜前方に向けて一体に突出してなる請求項１記載の光アダプタ用シャッタ。
【請求項３】
前記シャッタ部材の中央に形成された開放操作用取っ手は、下段の解除レバー上方に突き当たらない程度の長さ寸法に形成されてなる請求項１または２記載の光アダプタ用シャッタ。
【発明の詳細な説明】
【技術分野】
【０００１】
本発明は、光コネクタ部品の嵌合部を両端に有し、二つの光ファイバ同士を光学的に接続するために使用される光アダプタ用シャッタに関する。
【背景技術】
【０００２】
従来、光コネクタ用アダプタは、ハウジングの両端に、光コネクタと嵌合する嵌合端を備え、両嵌合端に嵌入されるそれぞれの光コネクタの光学軸を、互いに一致させる構造とされている。このとき、一方の嵌合端に光コネクタを嵌入していない状態、すなわち一方にだけ光コネクタが挿通された終端状態で使用する場合では、他方の嵌合端に接続されている光コネクタに関連する光学部品が動作状態にあると、一方の嵌合端まで有害なレーザビームが導かれ、当該嵌合端へ光ファイバコネクタを嵌入する作業の際に、作業者の身体、特に光ケーブルからの光を直視することで目に重大な危害を与える。また、挿通された光ケーブル（フェルール・光ファイバ）の先端部が塵埃等の付着によって不具合を生じさせる等の虞があった。
【０００３】
このような問題点を解消するため、従来では、特許文献１に示すようなシャッタ部材を回転軸とコイルバネにて嵌合端を外側から閉止する方向に付勢したものがある。すなわち、これは底壁、一対の側壁および上壁の一端側端辺によって画される光アダプタの開口端を開閉し得るように例えば底壁の一端側端辺に枢支軸を介して揺動可能に連結されたシャッタ部材が設けられ、且つ斜上向傾斜状態に閉鎖保持可能にバネ力を付勢させて配設した構成となっている。
【先行技術文献】
【特許文献】
【０００４】
【特許文献１】特開２００９−３０７１号公報
【発明の概要】
【発明が解決しようとする課題】
【０００５】
しかしながら、従来における特許文献１の場合では、例えば、図９に示すように、複数の光アダプタ１００ａ、１００ｂ、１００ｃ、１００ｄ…が相互の隣接ピッチを狭めた状態でパネルＰのアダプタ取付孔等に挿入され縦方向に並置されていると、これらの各シャッタ部材１０１ａ、１０１ｂ、１０１ｃ、１０１ｄ…は互いに斜上向傾斜状態となっていることから、例えば上側に位置するシャッタ部材１０１ａの枢支軸１０２ａ側に対し、下側に位置するシャッタ部材１０１ｂの上縁開放１０３ｂ側が若干奥まった状態となる。そのため、この下側に位置するシャッタ部材１０１ｂの上縁開放１０３ｂ側への指先Ｆの引っ掛けが困難となり、当該シャッタ部材１０１ｂの開放操作ができなくなるという問題点を有していた。
【０００６】
そこで、本発明は、叙上のような従来存した諸事情に鑑み案出されたもので、複数の光アダプタが相互の隣接ピッチを狭めた状態で縦方向等に並置されていても、シャッタ部材の開放操作が容易に行えるものとした光アダプタ用シャッタを提供することを目的とする。
【課題を解決するための手段】
【０００７】
上述した課題を解決するために、本発明にあっては、パネルの複数のアダプタ取付孔に各嵌着されて縦方向に隣接並置され、光学軸が一致するように光コネクタの嵌合部と、光コネクタその他の光学部品の嵌合部とをそれぞれ備え、前記光コネクタの嵌合部を閉鎖するよう当該嵌合部の開口端側端辺に枢支軸を介して揺動可能に連結され、且つ前記枢支軸にバネ力を付勢させて閉鎖保持可能として成るシャッタ部材を備えた光アダプタにおいて、前記シャッタ部材には、当該シャッタ部材をバネの付勢力に抗して前倒操作させて前記嵌合部を開放させるよう外表面に開放操作用取っ手を備え、上段の嵌合部への光コネクタの嵌合時に、下段の嵌合部へ嵌合されている光コネクタの前記光アダプタ係合解除用の解除レバーおよびラッチレバーに前記シャッタ部材開放時の前記開放操作用取っ手が干渉しないよう当該開放操作用取っ手は前記シャッタ部材の右側一箇所もしくは左側一箇所、または左右両側の各一箇所、あるいは中央の表面に配置されてなることを特徴とする。
【０００８】
前記開放操作用取っ手は、前記シャッタ部材の前面の左右いずれか、または左右両側、あるいは中央の表面から略斜前方に向けて一体に突出してなる。
【０００９】
前記シャッタ部材の中央に形成された開放操作用取っ手は、下段の解除レバー上方に突き当たらない程度の長さ寸法に形成されてなる。
【発明の効果】
【００１０】
本発明によれば、複数の光アダプタが相互の隣接ピッチを狭めた状態で並置されていても、シャッタ部材の開放操作が容易に行える。
【００１１】
すなわち、本発明では、パネルの複数のアダプタ取付孔に各嵌着されて縦方向に隣接並置され、光学軸が一致するように光コネクタの嵌合部と、光コネクタその他の光学部品の嵌合部とをそれぞれ備え、前記光コネクタの嵌合部を閉鎖するよう当該嵌合部の開口端側端辺に枢支軸を介して揺動可能に連結され、且つ前記枢支軸にバネ力を付勢させて閉鎖保持可能として成るシャッタ部材を備えた光アダプタにおいて、前記シャッタ部材には、当該シャッタ部材をバネの付勢力に抗して前倒操作させて前記嵌合部を開放させるよう外表面に開放操作用取っ手を備え、上段の嵌合部への光コネクタの嵌合時に、下段の嵌合部へ嵌合されている光コネクタの前記光アダプタ係合解除用の解除レバーおよびラッチレバーに前記シャッタ部材開放時の前記開放操作用取っ手が干渉しないよう当該開放操作用取っ手は前記シャッタ部材の右側一箇所もしくは左側一箇所、または左右両側の各一箇所、あるいは中央の表面に配置されてなるので、複数の光アダプタが相互の隣接ピッチを狭めた状態で並置されていても、開放操作用取っ手の先端に容易に指先が届くことから、光アダプタの嵌合部への光コネクタの嵌合時において、外表面に設けられた開放操作用取っ手を指先で前倒させることでシャッタ部材を容易に開放させることができる。また、開放操作用取っ手を指先で前倒させることでシャッタ部材を開放させても、開放操作用取っ手は解除レバーの邪魔にならず、これにより全ての段の光アダプタへの光コネクタの装着が何ら支障なく行える。
【００１２】
そして、前記開放操作用取っ手は、前記シャッタ部材の前面の左右いずれか、または左右両側、あるいは中央の表面から略斜前方に向けて一体に突出してなるので、複数の光アダプタ相互の縦方向のピッチ間隔等に応じて、シャッタ部材前面での開放操作用取っ手の設置位置のバリエーションが可能となる。しかも、このようにシャッタ部材前面で当該シャッタ部材が開閉する際の支障とならない位置に開放操作用取っ手を設けることで、当該開放操作用取っ手の先端への指先の接触を確実なものとしつつシャッタ部材の開放が可能となる。
【００１３】
前記シャッタ部材の中央に形成された開放操作用取っ手は、下段の解除レバー上方に突き当たらない程度の長さ寸法に形成されてなるので、全ての段の光アダプタへの光コネクタの装着が何ら支障なく行える。
【図面の簡単な説明】
【００１４】
【図１】本発明を実施するための一形態における光アダプタ用シャッタの一例を示し、（ａ）はシャッタ部材が閉鎖されている状態の斜視図、（ｂ）はシャッタ部材が開放されている状態の斜視図である。
【図２】同じく光アダプタ用シャッタの一例を示し、（ａ）は正面図、（ｂ）は背面図、（ｃ）は平面図、（ｄ）は右側面図、（ｅ）は底面図である。
【図３】縦方向に並置されている複数の光アダプタのうち中段にある一つのシャッタ部材を開放操作用取っ手を介して開放させる状態を示す右側面図である。
【図４】縦方向に並置されている複数の光アダプタの全てに光コネクタを嵌合した状態を示す右側面図である。
【図５】同上の底面図である。
【図６】同じく光アダプタ用シャッタに光コネクタを嵌合した状態を示す断面図である。
【図７】同じく光アダプタ用シャッタの一例を示し、（ａ）は開放操作用取っ手をシャッタ部材の右側に設けた斜視図、（ｂ）は開放操作用取っ手をシャッタ部材の中央に設けた斜視図である。
【図８】同じく開放操作用取っ手がシャッタ部材の中央に形成されている場合において、縦方向に並置されている複数の光アダプタの全てに光コネクタを嵌合した状態を示す右側面図である。
【図９】従来例にける縦方向に並置された複数の光アダプタのうち上段および中段にある各シャッタ部材を開放させる状態を示す右側面図である。
【発明を実施するための形態】
【００１５】
以下、図面を参照して本発明に係る光アダプタ用シャッタの実施の一形態を詳細に説明する。
【００１６】
本発明に係る光アダプタ１は、図１および図２に示すように、例えばＬＣ型の二つの光コネクタＱ（図４以下に示す）相互を光学軸が一致するようにして接続できるよう例えば合成樹脂の成型品でなる角筒状のアダプタハウジング２によって形成されている。すなわち、このアダプタハウジング２の両端には、二つの光コネクタＱが嵌合されるよう一方で左右一対となった嵌合部Ａ、Ａと、光コネクタＱその他の光学部品の二つが嵌合されるよう他方で左右一対となった嵌合部Ｂ、Ｂとをそれぞれ備えたＬＣ型アダプタ構造となっている。
【００１７】
尚、以下では、ＬＣ型構造による光アダプタ１について説明しているが、これに限らず、ＳＣ型の二つの光コネクタＱ相互を接続できるＳＣ型構造による光アダプタ１であっても良いことは勿論である。
【００１８】
アダプタハウジング２は、図１および図６に示すように、上側壁、左右側壁、底壁それぞれによって囲繞された空間内に一つの仕切壁２ｃが一体に形成されて二つの嵌合部Ａ、Ａ（Ｂ、Ｂ）が並置されて成り、アダプタハウジング２の中央には略コ字枠状となった左右一対の接合端壁２ｄが配置され、一方の嵌合部Ａ、Ａにおける嵌合端は斜め上方向に向けて開口し、他方の嵌合部Ｂ、Ｂにおける接続端は水平方向に開口している。
【００１９】
また、図６に示すように、アダプタハウジング２の中央部に配される左右一対の接合端壁２ｄの一方には、一方の円筒２ｅが嵌合端に向かって突設してあると共に、他方の接合端壁２ｄには、他方の円筒２ｆが接続端に向かって突設してあり、両円筒２ｅ、２ｆが光学軸上で中心軸を一致させて接合端壁２ｄ同士を係合固定することによってスリーブホルダー３が形成される。このとき、スリーブホルダー３内側に円筒状の割りスリーブ４が装着、保持されている。
【００２０】
そして、アダプタハウジング２の内壁には、後述する光コネクタＱの解除レバー１８によって押圧操作されるラッチレバー１９が挿入されるガイド溝２１と、ラッチレバー１９の両側に設けられた係合突部（不図示）を係合するための係止部２０が形成されている。
【００２１】
アダプタハウジング２の一方の嵌合部Ａ、Ａの一端側には、当該嵌合部Ａ、Ａを囲繞するように角筒状のシャッタハウジング５が装着されている。このシャッタハウジング５は、図１および図２に示すように、上面部５ａ、左右側面部５ｂ、５ｃ、底面部５ｄを備え、上面部５ａの前端辺と左右側面部５ｂ、５ｃの前端辺とは当該左右側面部５ｂ、５ｃの前端辺上部に面取りされた円弧状の切欠部６を介して連なっている。この切欠部６の存在により、底面部５ｄの前方向の長さが上面部５ａの前方向の長さよりも若干長目となるようにしてある。
【００２２】
そして、シャッタハウジング５の一端側開口を開閉し得るようにプレート状のシャッタ部材８が前記底面部５ｄの一端側端辺に枢支軸７を介して揺動可能に連結され、当該シャッタハウジング５の前記一端側開口を閉塞する方向にシャッタ部材８を付勢するよう枢支軸７にはバネとして例えばコイルスプリング９が巻装されている。
【００２３】
具体的には、図１、図２（ａ）、図２（ｂ）、図２（ｅ）に示すように、シャッタハウジング５の底面部５ｄ前端辺には筒形突起状の複数の軸支部５ｅが突設され、これら各軸支部５ｅの間に挟持されるようシャッタ部材８の下端辺に筒形突起状の複数の軸支部８ｃが突設されている。そして、これら軸支部５ｅ、８ｃにはコイルスプリング９を介してロッド状の枢支軸７が嵌挿され、該枢支軸７に巻装されたコイルスプリング９の一端部はシャッタ部材８の内部に係合される一方、他端部はシャッタハウジング５の底面部５ｄの外表面の例えばガイド溝等（図示せず）に係合された状態で枢支軸７に外挿される。これにより、シャッタ部材８を閉塞位置から開放位置へ移行させるに従ってコイルスプリング９が巻き締められて、保有弾性が大きくなり、シャッタ部材８が閉塞位置にへ向けて付勢される。
【００２４】
シャッタ部材８は、この両側縁のうちの先端側から略直交する方向へ延びる略円弧凸状となった一対のリブ部８ａ、８ｂを備え、シャッタ部材８が閉塞位置に位置されるとリブ部８ａ、８ｂが左右側面部５ｂ、５ｃの円弧状の切欠部６内側にある係止段差部６ａに当接され、シャッタ部材８自体は斜め配置となって閉塞保持されるようにしてある。
【００２５】
そして、前記シャッタ部材８の正面から見て例えば左側一箇所には、当該シャッタ部材８を前記コイルスプリング９の付勢力に抗して前倒操作させて嵌合部Ａ、Ａを開放させるための開放操作用取っ手１０が突設されている。この開放操作用取っ手１０は、シャッタ部材８自体の傾斜方向とは反対側に傾斜するよう当該シャッタ部材８の外面から略斜前方に向けて一体に突出されているとで、指先Ｆが上側から引っ掛けられ易いようにしてある。しかも、この開放操作用取っ手１０は付根部分が幅広で、先端に行くに従って先細となっていることで腰の強い安定したレバー構造となっている。
【００２６】
この開放操作用取っ手１０はシャッタ部材８前面における右側一箇所（図７（ａ）参照）もしくは左右両側の各一箇所に配置されていても良い。また、図７（ｂ）に示すように、開放操作用取っ手１０をシャッタ部材８の前面中央に設けたり、あるいはその他の表面に配置されていても良い。このように開放操作用取っ手１０をシャッタ部材８の前面中央に設ける場合には、当該シャッタ部材１８の開放時に光コネクタＱの解除レバー１８に当たらないように短尺で且つ上向きに湾曲したレバー構造とする。
【００２７】
すなわち、前記開放操作用取っ手１０がシャッタ部材８の中央に形成されている場合には、図８に示すように、下段に位置する光コネクタＱの解除レバー１８上方に突き当たらない程度の長さ寸法に形成する。これにより縦方向に並置されている複数の光アダプタ１の全てに光コネクタＱを嵌合した状態であっても、全ての段の光アダプタ１への光コネクタＱの装着が何ら支障なく行えるものとしている。
【００２８】
尚、図１および図７（ａ）に示すように、前記開放操作用取っ手１０がシャッタ部材８の中央以外に形成されている場合には（解除レバー１８の左右両側）、下段の解除レバー１８上方に突き当たる長さ寸法であっても支障はない。
【００２９】
上記した構成による光アダプタ１は、図３および図４に示すように、高密度実装可能としたパネルＰの複数のアダプタ取付孔に各嵌着固定されて縦方向に隣接並置される。このとき、アダプタハウジング２の左右の側壁外面には、シャッタハウジング５の一端開口に向かって延びた係合片２ａと該係合片２ａに対向する突部２ｂが設けられ、この係合片２ａと突部２ｂの間にパネルＰのアダプタ取付孔の開口縁が挟み込まれて係止されることにより、装着されたアダプタハウジング２の抜けが防止されるものとなっている。
【００３０】
また、前記したように開放操作用取っ手１０はシャッタ部材８前面における右側一箇所もしくは左側一箇所、または左右両側の各一箇所に配置されている場合は、上段側に位置する嵌合部Ａ、Ａへの光コネクタＱの嵌合時にシャッタ部材８を開放した状態であっても、下段側に位置する嵌合部Ａ、Ａへ既に嵌合されている光コネクタＱの解除レバー１８およびラッチレバー１９に開放操作用取っ手１０が左右いずれの側にずれることで干渉しないようなっている。
【００３１】
光コネクタＱは、図６に示すように、カップリングスリーブ１１と、このカップリングスリーブ１１内にフェルール用チューブ１２およびフェルールフレーム１３に装着されたフェルール１４と、フェルールフレーム１３の後端部外周に装着されるスプリング１５と、このスプリング１５を介してフェルールフレーム１３の後端部に嵌合する本体フレーム１６と、この本体フレーム１６後部に装着されたブーツ１７とを具備する。
【００３２】
また、図４および図６に示すように、カップリングスリーブ１１の外周面には、光アダプタ１のアダプタハウジング２の内壁両側に設けられた係止部２０に係合し且つその解除を行うためのラッチレバー１９の係合突起が左右両側に一体的に設けられている。このラッチレバー１９は、カップリングスリーブ１１の先端部から後端部に向かって徐々にカップリングスリーブ１１外表面から離れるように傾斜して延設されており、その後端部には、本体フレーム１６の外周面に形成された解除レバー１８に当接するよう、シャッタ部材８の開放時にシャッタハウジング５の嵌合部Ａ方向へ傾斜して突出するものとなっている。
【００３３】
次に、以上のように構成された形態についての使用の一例について説明する。
【００３４】
光アダプタ１は、図３および図４に示すように、高密度実装可能としたパネルＰの複数のアダプタ取付孔に各嵌着固定されて縦方向に隣接並置される。このとき、アダプタハウジング２の左右の側壁外面の係合片２ａと突部２ｂの間にパネルＰのアダプタ取付孔の開口内周縁部側が挟み込まれて係合させることで、アダプタハウジング２は抜けが防止された状態となってパネルＰに装着される。
【００３５】
図３に示すように、パネルＰの縦方向に隣接並置された所望の光アダプタ１、例えば上から２段目に光コネクタＱを装着する場合、対応するシャッタ部材８の開放操作用取っ手１０に指先Ｆを引っ掛けて前倒させる。これによりアダプタハウジング２の嵌合部Ａが露出された状態となり、この嵌合部Ａに光コネクタＱを嵌合すれば良い。
【００３６】
光アダプタ１への光コネクタＱの嵌合に際し、そのまま挿入して解除レバー１８を押圧変形させてラッチレバー１９先端の係合突起（不図示）を光アダプタ１内壁両側に形成された係止部２０に係合させる。これにより光コネクタＱは光アダプタ１から抜けなくなる（図６参照）。また、光コネクタＱを光アダプタ１から抜去する時は、手指でもって解除レバー１８を押し下げてラッチレバー１９と係止部２０との係合を解除した後に光コネクタＱを手前に引き抜けば良い。
【００３７】
また、図４に示すように、開放操作用取っ手１０はシャッタ部材８前面における左側一箇所に配置されており、このため、上段側に位置する嵌合部Ａ、Ａへの光コネクタＱの嵌合時にシャッタ部材８を開放した状態であっても、下段側に位置する嵌合部Ａ、Ａへ既に嵌合されている光コネクタＱの解除レバー１８およびラッチレバー１９に上段側の開放操作用取っ手１０が干渉しない。さらに、図７（ａ）のように、開放操作用取っ手１０がシャッタ部材８前面における左側あるいは左右両側にあっても同様である。
【００３８】
さらにまた、図８に示すように、開放操作用取っ手１０がシャッタ部材８前面における中央に配置されていても、当該開放操作用取っ手１０は下段の解除レバー１８上方に突き当たらない程度の長さ寸法に形成されているため、上段側に位置する嵌合部Ａ、Ａへの光コネクタＱの嵌合時にシャッタ部材８を開放した状態であっても、下段側に位置する嵌合部Ａ、Ａへ既に嵌合されている光コネクタＱの解除レバー１８およびラッチレバー１９に上段側の開放操作用取っ手１０が干渉しない。
【００３９】
こうして、上段側のシャッタ部材８の開放操作用取っ手１０は下段側の光コネクタＱの解除レバー１８の邪魔にならずに当該上段側のシャッタ部材８を開放させることができ、これにより高密度実装となった全ての段の光アダプタ１への光コネクタＱの装着が何ら支障なく行えるものとなる。
【符号の説明】
【００４０】
Ｐ          パネル
Ｑ          光コネクタ
Ｆ          指先
Ａ、Ｂ      嵌合部
１          光アダプタ
２          アダプタハウジング
２ａ        係合片
２ｂ        突部
２ｃ        仕切壁
２ｄ        接合端壁
２ｅ        円筒
２ｆ        円筒
３          スリーブホルダー
４          割りスリーブ
５          シャッタハウジング
５ａ        上面部
５ｂ、５ｃ  左右側面部
５ｄ        底面部
５ｅ        軸支部
６          切欠部
６ａ        係止段差部
７          枢支軸
８          シャッタ部材
８ａ、８ｂ  リブ部
８ｃ        軸支部
９          コイルスプリング
１０        開放操作用取っ手
１１        カップリングスリーブ
１２        フェルール用チューブ
１３        フェルールフレーム
１４        フェルール
１５        スプリング
１６        本体フレーム
１７        ブーツ
１８        解除レバー
１９        ラッチレバー
２０        係止部
２１        ガイド溝
【図１】
0005567990.tif 000002
【図２】
0005567990.tif 000003
【図３】
0005567990.tif 000004
【図４】
0005567990.tif 000005
【図５】
0005567990.tif 000006
【図６】
0005567990.tif 000007
【図７】
0005567990.tif 000008
【図８】
0005567990.tif 000009
【図９】
0005567990.tif 000010